(57)【要約】【課題】  チェーンとサドルを有しない簡素な車体フレーム構造の膝立ちして漕ぐ二輪の自転車を提供する。【解決手段】  前部にハンドル付きの舵取輪を備え後部に駆動軸を備えた二輪の自転車に関し、駆動軸にはクランクとペダルを設け、車体フレームに膝置きの台を設けて構成した。これにより運転者は膝立ちし自転車を漕ぐことになり、漕ぐ力は膝下のみとなるがペダルを漕ぐ速さを向上させることが容易となる。さらに車体フレームに腹置きの台を設置すると、その台に体を預け膝を浮かせると足全体で漕ぐこともできるので漕ぐ力を一時的に向上できるのである。これによりチェーンとサドルがなく簡素な構造で、安定走行でき、早漕ぎで速度向上を得やすい、膝立ちして漕ぐという新しい乗車スタイルの自転車を提供できる。【選択図】図１
2018024408.tif 000002
【特許請求の範囲】
【請求項１】
前部にハンドル付き舵取の前輪を備え、前輪と後輪を保持する車体フレームに膝置きの台を設け、この膝置きの台に運転者が膝立ちした状態で足先の届く位置にペダルとクランクを設置した、膝立ちして漕ぐ二輪の自転車。
【請求項２】
ペダルとクランクをチェーンを介さずに後輪の駆動軸に設置した請求項１記載の自転車。
【請求項３】
車体フレームに腹置きの台を設けた請求項１記載の自転車。
【発明の詳細な説明】
【技術分野】
【０００１】  本発明はチェーンが無く直接車輪を駆動するタイプの二輪の自転車に関する。
【背景技術】
【０００２】  ペニー・ファージング型自転車、図５は速度を得るための大きな前輪に直接クランクとペダルが付いている乗り物でありチェーンがない為、フレーム構造が簡素であるが、速度を得るため前輪が大きくまたサドルが前輪寄りにあることで、運転時の重心が前方上部にあるため急な停止の時などに前方に倒れやすい欠点があった。【０００３】  現在多用されている自転車、図４は車体フレームに設けられたサドルに座りフレーム下方に設けられたペダルを踏む力をチェーンとギアにより後輪の駆動軸に伝達する自転車だが、上記ペニー・ファージング型自転車の欠点を改善している。つまり運転時の車体の重心が後輪寄りのほぼ中央にあり安定して走行可能であり、ペニー・ファージング型自転車と比較して小さな車輪でも、チェーンを介したギア比を利用できるため、速度を向上させることができている。【０００４】  一輪車に補助輪を付け、チェーンが無く、現在多用されている自転車よりも簡素な構造の二輪の自転車の特許もあるが（例えば特許文献１参照）、チェーンが無く直接車輪を駆動するタイプの自転車は上述したように車輪を大きくするかペダルを速く漕ぐことで速度を上げる必要がある。
【先行技術文献】
【特許文献】
【０００５】
【特許文献１】特開平１０−１６８５５
【発明の概要】
【発明が解決しようとする課題】
【０００６】  ペニー・ファージング型自転車や特許文献１の自転車のようにチェーンが無く直接車輪を駆動するタイプの自転車において、車輪を大きくせずに速度を上げるには、ペダルを速く漕ぎ続ける必要があるが、ニュートン力学において物体の運動エネルギーは物体の質量と速さの二乗に比例することが知られているとおり、ペダルを漕ぐ際に足が負担する運動は、速く漕ぐほど負担が多くなるため、ペダルを速く漕ぎ続けることは安易ではない。【０００７】  サドル付き自転車では、座って膝を上下運動して漕ぐので、スカートをはいて運転する場合には配慮のいるもである。また座るのが苦手の人には座らずにすむ他の選択肢もあることが望ましい。【０００８】  チェーンを使った自転車では、チェーンは使用しているうちに伸びてたるんで外れてしまうとか、チェーンが切れるとか、衣類がチェーンに巻き込まれるとか、チェーンの油が飛び衣類が汚れるなどの問題があった。
【課題を解決するための手段】
【０００９】  本発明品は上記課題を解決するために、前部にハンドル付き舵取の前輪を備え、前輪と後輪を保持する車体フレームに膝置きの台を設け、この膝置きの台に運転者が膝立ちした状態で足先の届く位置にペダルとクランクを設置したのである。【００１０】  また第２の課題解決手段は、ペダルとクランクをチェーンを介さずに後輪の駆動軸に設置したのである。【００１１】  また第３の課題解決手段は、車体フレームに腹置きの台を設けたのである。【００１２】  上記第１の課題解決手段による作用は次の通りである。先に述べた質量と速度の力学の法則から、ペダルを速く漕ぐ運動を膝立ち姿勢にして膝を固定することで足全体の質量の運動から足先だけの軽い質量の運動に切り替えることができ、それにより抑制できた運動エネルギーを速く漕ぐ動作に活用しやすくできるのである。【００１３】  上記第２の課題解決手段による作用は次の通りである。本発明品は、チェーンが無く直接車輪を駆動するタイプの自転車において、車輪を大きくしなくてもペダルを速く漕ぐことで速度の向上を安易とする有効な手段となったのである。【００１４】  上記第３の課題解決手段による作用は次の通りである。すなわち、膝を固定している限り使える筋肉は膝下だけだが、必要に応じて運転者が前傾姿勢になりハンドルに体を預けて立ち漕ぎのような状態で膝を浮かせると、膝の動きが自由になり膝上の太ももの筋肉も使えるため推進力が向上するが、この所作を腹置きの台を設置する事でより安易にアシストできるのである。
【発明の効果】
【００１５】  上述したように本発明品は、チェーンが無く直接車輪を駆動するタイプの自転車において、ペニー・ファージング型自転車や特許文献１記載の自転車と比較して、ペダルを速く漕ぎ続けることが安易なため、速度の向上が安易となるのである。【００１６】  また、ペニー・ファージング型自転車と比較して、運転者の重心が車体のほぼ中央にあり安定して走行可能である。【００１７】  また、サドルが無く座らずに膝立ちして漕ぐ自転車なので、スカートの人も座るのが苦手な人も気兼ねなく使えるのである。【００１８】  また、チェーンを使わないので、チェーンを使用しているうちに伸びてたるんで外れてしまうとか、チェーンが切れるとか、衣類がチェーンに巻き込まれるとか、チェーンの油が飛び衣類が汚れるなどの問題は無いのであ。【００１９】  また、本発明品は従来の自転車の主要な部品で実現が可能であり、少ない投資でチェーンとサドルの無い簡素な構造の、これまでにない新しい乗車スタイルの自転車を提供できるのである。
【図面の簡単な説明】
【００２０】
【図１】本発明品の第１実施の形態の側面図
【図２】同第２実施の形態の説明図
【図３】同第３実施の形態の側面図
【図４】現在多用されている自転車の側面図
【図５】ペニー・ファージング型自転車の側面図
【発明を実施するための形態】
【００２１】  以下、図面に基づき本発明の好適な実施形態を説明する。図１は本発明の第１の実施の形態を示している。
【００２２】  車体フレーム９は後輪５の駆動軸４の両端を支える２本の金属等のパイプで作成され、その２本の前端にヘッドパイプ１２を溶接等で取り付けてある。その車体フレーム９のほぼ中央にビスの締め外しで取付位置の調整が可能な機構にてクッション性のある膝置きの台６が取り付けてある。前端のヘッドパイプ１２にはハンドル８が回転自在に装着してある。ハンドルの下方には二股のフロントフォーク１３が取り付けてあり前輪１の回転軸の両端がこのフロントフォーク１３の下端に取り付けられている。ハンドル８にはブレーキレバーが２つあって、それぞれ前輪１と後輪５にワイヤーを介して接続してあり、ブレーキレバーを引くことによってブレーキ装置を作動させて前輪１と後輪５の回転を制動できるようにしてある。
【００２３】  前輪１の大きさは任意であるが、図１のように後輪５より小さくすると膝置きの台を設置する車体フレーム９が水平となり、膝置きの台の位置調整の際に膝置きの台の高さが変動せず調整できる。後輪５の大きさは運転者の膝下の寸法とほぼ同じ程度の半径のものを使う。この後輪５の駆動軸４の両端にはそれぞれクランク３とペダル２が設けてある。
【００２４】  クランク３は、運転者が膝立ちした状態で足先を動かせる範囲で回転動作できる程度の長さにする。またクランク３と駆動軸４とはフリーホイールでも固定クランクでもよく任意である。
【００２５】  また、図示はしてないが前輪と後輪には走行する路面の状態や運転者の衣類に応じて車輪に樹脂板や板金などのカバーを付けるのが望ましい。
【００２６】  上記のようにして本発明の第１の実施の形態の自転車を形成することができるものであり、この自転車を運転するにあたっては、膝置きの台６に膝立ちし、両手でハンドル８を握りペダル２を漕ぐことによって、後輪５を回転させて自転車を走行させるとともに、ハンドル８を操作して前輪１の向きを操作することによって、進行方向を変更することができるものである。
【００２７】  また運転中に膝を固定された足先だけの力で足りないと感じた場合にはハンドルに体を預けて膝を浮かせると太ももをふくめた力を利用した漕ぎ方もできる。
【００２８】  図２は本発明の第２の実施の形態の自転車の側面図とともに腹置きの台７を利用した漕ぎ方をを示すものである。
【００２９】  この第２の実施の形態の自転車は第１の実施の形態の自転車に腹置きの台７を追加したものである。腹置きの台７は膝置きの台６の前方の車体フレーム９より伸ばした支柱の先にクッション性のある腹置きの台７を固定し、ハンドル８から延ばした支柱とを舵取り動作を阻害しないよう自由回転できるベアリングを介し接続した。
【００３０】  この第２の実施の形態の自転車を運転中に、膝を固定された足先だけの力で足りないと感じた場合には、図２に示すように、この腹置きの台７に体を預けて膝を浮かせることができるので、前述のハンドル８に体を預けて膝を浮かせるよりも安易に膝を浮かせることができ、太ももを含めた力を利用した漕ぎ方も安易にできるのである。
【００３１】  図３は本発明の第３の実施の形態の自転車の側面図を示すものである。
【００３２】  第１の実施の形態の自転車にチェーン１１を使って構成したものである。膝立ちして乗車した時に足先の位置する場所にクランク３とペダル２を付けたチェーンギアを設けそのチェーンギアと後輪５の回転軸に付けられたギアとをチェーン１１を懸架することによって組み立てられている。
【００３３】  この第３の実施の形態の自転車はチェーン１１を使うことでギア比を利用して後輪５を小さくしながらチェーンを使わない時と同様の走行性能の自転車を作ることができる。
【符号の説明】
【００３４】  １  前輪
２  ペダル
３  クランク
４  駆動軸
５  後輪
６  膝置きの台
７  腹置きの台
８  ハンドル
９  車体フレーム
１０  サドル
１１  チェーン
１２  ヘッドパイプ
１３  フロントフォーク
【図１】
2018024408.tif 000003
【図２】
2018024408.tif 000004
【図３】
2018024408.tif 000005
【図４】
2018024408.tif 000006
【図５】
2018024408.tif 000007